【手続補正書】
【提出日】平成27年12月18日(2015.12.18)
【手続補正１】
【補正対象書類名】明細書
【補正対象項目名】０００９
【補正方法】変更
【補正の内容】
【０００９】
上記の目的を達成するために、本発明の情報処理装置は、本番環境サーバを含む複数のシステムサーバに対する操作コマンドの送信を行う情報処理装置であって、システムサーバへのログイン要求を受け付ける第１の受付手段と、前記第１の受付手段で受け付けた接続要求に従って、前記システムサーバへのユーザのログイン処理を行うログイン手段と、前記ログイン手段によるログイン処理により、前記ユーザが前記本番環境サーバを含む複数のシステムサーバにログインする状態となることを判定する第１の判定手段と、前記システムサーバに対する操作コマンドを受け付ける第２の受付手段と、前記第１の判定手段において、前記ユーザが前記本番環境サーバを含む複数のシステムサーバにログインする状態となったと判定されると、前記第２の受付手段で受け付けた操作コマンドを実行する確認入力を受け付ける第３の受付手段と、前記第３の受付手段において、前記第２の受付手段で受け付けた操作コマンドを実行する確認入力を受け付けた場合に、前記操作コマンドを指定されたシステムサーバに送信する送信手段と、を有することを特徴とする。
【手続補正２】
【補正対象書類名】明細書
【補正対象項目名】００１０
【補正方法】変更
【補正の内容】
【００１０】
上記の目的を達成するために、本発明の情報処理方法は、本番環境サーバを含む複数のシステムサーバに対する操作コマンドの送信を行う情報処理装置によって行われる情報処理方法であって、システムサーバへのログイン要求を受け付ける第１の受付工程と、前記第１の受付工程で受け付けた接続要求に従って、前記システムサーバへのユーザのログイン処理を行うログイン工程と、前記ログイン工程によるログイン処理により、前記ユーザが前記本番環境サーバを含む複数のシステムサーバにログインする状態となることを判定する第１の判定工程と、前記システムサーバに対する操作コマンドを受け付ける第２の受付工程と、前記第１の判定工程において、前記ユーザが前記本番環境サーバを含む複数のシステムサーバにログインする状態となったと判定されると、前記第２の受付工程で受け付けた操作コマンドを実行する確認入力を受け付ける第３の受付工程と、前記第３の受付工程において、前記第２の受付工程で受け付けた操作コマンドを実行する確認入力を受け付けた場合に、前記操作コマンドを指定されたシステムサーバに送信する送信工程と、を有することを特徴とする。
【手続補正３】
【補正対象書類名】明細書
【補正対象項目名】００１１
【補正方法】変更
【補正の内容】
【００１１】
上記の目的を達成するために、本発明のコンピュータプログラムは、本番環境サーバを含む複数のシステムサーバに対する操作コマンドの送信を行う情報処理装置を、システムサーバへのログイン要求を受け付ける第１の受付手段と、前記第１の受付手段で受け付けた接続要求に従って、前記システムサーバへのユーザのログイン処理を行うログイン手段と、前記ログイン手段によるログイン処理により、前記ユーザが前記本番環境サーバを含む複数のシステムサーバにログインする状態となることを判定する第１の判定手段と、前記システムサーバに対する操作コマンドを受け付ける第２の受付手段と、前記第１の判定手段において、前記ユーザが前記本番環境サーバを含む複数のシステムサーバにログインする状態となったと判定されると、前記第２の受付手段で受け付けた操作コマンドを実行する確認入力を受け付ける第３の受付手段と、前記第３の受付手段において、前記第２の受付手段で受け付けた操作コマンドを実行する確認入力を受け付けた場合に、前記操作コマンドを指定されたシステムサーバに送信する送信手段として機能させることを特徴とする。
【手続補正４】
【補正対象書類名】特許請求の範囲
【補正対象項目名】全文
【補正方法】変更
【補正の内容】
【特許請求の範囲】
【請求項１】
本番環境サーバを含む複数のシステムサーバに対する操作コマンドの送信を行う情報処理装置であって、
システムサーバへのログイン要求を受け付ける第１の受付手段と、
前記第１の受付手段で受け付けた接続要求に従って、前記システムサーバへのユーザのログイン処理を行うログイン手段と、
前記ログイン手段によるログイン処理により、前記ユーザが前記本番環境サーバを含む複数のシステムサーバにログインする状態となることを判定する第１の判定手段と、
前記システムサーバに対する操作コマンドを受け付ける第２の受付手段と、
前記第１の判定手段において、前記ユーザが前記本番環境サーバを含む複数のシステムサーバにログインする状態となったと判定されると、前記第２の受付手段で受け付けた操作コマンドを実行する確認入力を受け付ける第３の受付手段と、
前記第３の受付手段において、前記第２の受付手段で受け付けた操作コマンドを実行する確認入力を受け付けた場合に、前記操作コマンドを指定されたシステムサーバに送信する送信手段と、
を有することを特徴とする情報処理装置。
【請求項２】
前記ログイン手段により前記本番環境サーバへのログイン処理を行っている状態で、前記ログイン手段が他のシステムサーバへのログイン処理を行うと、前記第３の受付手段による確認入力を受け付け、前記ログイン手段により前記本番環境サーバへのログイン処理を行っている状態で、前記ログイン手段が他のシステムサーバにログインしていない場合は、前記第３の受付手段による確認入力を行わないことを特徴とする請求項１に記載の情報処理装置。
【請求項３】
前記本番環境サーバへ送信する前に前記ユーザによる確認入力を必要とする操作コマンドを、要確認操作コマンドとして設定する第２の設定手段と、
前記本番環境サーバに対する操作コマンドに、前記第２の設定手段で設定された要確認操作コマンドが含まれるかを判定する第２の判定手段と備え、
前記第３の受付手段は、更に、第２の判定手段で本番環境サーバに対する操作コマンドに要確認操作コマンドが含まれると判定した場合に、前記操作コマンドをシステムサーバに送信するか否かの確認入力を受け付けること
を特徴とする請求項１又は２に記載の情報処理装置。
【請求項４】
前記要確認操作コマンドは、データベースの内容を変更するための操作コマンドであること
を特徴とする請求項３に記載の情報処理装置。
【請求項５】
本番環境サーバを含む複数のシステムサーバに対する操作コマンドの送信を行う情報処理装置によって行われる情報処理方法であって、
システムサーバへのログイン要求を受け付ける第１の受付工程と、
前記第１の受付工程で受け付けた接続要求に従って、前記システムサーバへのユーザのログイン処理を行うログイン工程と、
前記ログイン工程によるログイン処理により、前記ユーザが前記本番環境サーバを含む複数のシステムサーバにログインする状態となることを判定する第１の判定工程と、
前記システムサーバに対する操作コマンドを受け付ける第２の受付工程と、
前記第１の判定工程において、前記ユーザが前記本番環境サーバを含む複数のシステムサーバにログインする状態となったと判定されると、前記第２の受付工程で受け付けた操作コマンドを実行する確認入力を受け付ける第３の受付工程と、
前記第３の受付工程において、前記第２の受付工程で受け付けた操作コマンドを実行する確認入力を受け付けた場合に、前記操作コマンドを指定されたシステムサーバに送信する送信工程と、
を有することを特徴とする情報処理方法。
【請求項６】
本番環境サーバを含む複数のシステムサーバに対する操作コマンドの送信を行う情報処理装置を、
システムサーバへのログイン要求を受け付ける第１の受付手段と、
前記第１の受付手段で受け付けた接続要求に従って、前記システムサーバへのユーザのログイン処理を行うログイン手段と、
前記ログイン手段によるログイン処理により、前記ユーザが前記本番環境サーバを含む複数のシステムサーバにログインする状態となることを判定する第１の判定手段と、
前記システムサーバに対する操作コマンドを受け付ける第２の受付手段と、
前記第１の判定手段において、前記ユーザが前記本番環境サーバを含む複数のシステムサーバにログインする状態となったと判定されると、前記第２の受付手段で受け付けた操作コマンドを実行する確認入力を受け付ける第３の受付手段と、
前記第３の受付手段において、前記第２の受付手段で受け付けた操作コマンドを実行する確認入力を受け付けた場合に、前記操作コマンドを指定されたシステムサーバに送信する送信手段として機能させることを特徴とするコンピュータプログラム。